(57)【要約】【課題】意匠バリエーションの選択肢を増やす。【解決手段】テレビ１は、表示画面を有する表示装置と、前記表示装置が収容され、表示画面が露出された開口部が設けられた第１面と、この第１面とは反対側に位置された第２面と、底壁とを含む筐体と、前記筐体の前記底壁に設けられ、第１孔部と第２孔部とが設けられた金属製の連結部材と、前記連結部材の前記第１孔部と前記第２孔部とに収容され、該第１孔部の周縁部分と該第１孔部の周縁部分とに其々少なくとも一部が当接した凹部が前記第２面側に設けられた突出部と、前記突出部が取外し可能に固定され、前記筐体の底壁を支持した支持部と、前記表示画面側と、前記表示画面側とは反対側とで異なる意匠を有し、前記支持部と連結された基部とを備える。【選択図】  図１６
2012114597.tif 000002
【特許請求の範囲】
【請求項１】
表示画面を有する表示装置と、
前記表示装置が収容され、表示画面が露出された開口部が設けられた第１面と、この第１面とは反対側に位置された第２面と、底壁とを含む筐体と、
前記筐体の前記底壁に設けられ、第１孔部と第２孔部とが設けられた金属製の連結部材と、
前記連結部材の前記第１孔部と前記第２孔部とに収容され、該第１孔部の周縁部分と該第１孔部の周縁部分とに其々少なくとも一部が当接した凹部が前記第２面側に設けられた突出部と、
前記突出部が取外し可能に固定され、前記筐体の底壁を支持した支持部と、
前記表示画面側と、前記表示画面側とは反対側とで異なる意匠を有し、前記支持部と連結された基部と、
を備えるテレビ。
【請求項２】
請求項１の記載において、
前記第１孔部と前記第２孔部とは、其々互いに異なる形状を有し、前記第１孔部と前記第２孔部との何れか一方は他方よりも大きな開口面積を有することを特徴とするテレビ。
【請求項３】
請求項２の記載において、
前記支持部内に収容された金属製の補強部材を有し、前記複数の突出部は、前記補強部材と一体に設けられたことを特徴とするテレビ。
【請求項４】
請求項３の記載において、
前記支持部に前記表示装置とは反対側で連結された基部を有し、
前記補強部材は、前記基部の底面に対向された部分を有することを特徴とするテレビ。
【請求項５】
請求項４の記載において、
前記補強部材の前記基部の底面に対向された部分は、前記筐体の厚み方向に沿って延びた曲げ部を有することを特徴とするテレビ。
【請求項６】
請求項５の記載において、
前記基部の底面側には、格子状のリブが形成されたことを特徴とするテレビ。
【請求項７】
開口部が設けられ、傾斜部を有する底壁を備えるディスプレイ部と、
前記底壁の前記開口部に挿入されて前記支持部と前記ディスプレイ部とを連結した挿入部と、
前記挿入部に設けられ、前記底壁の一部と係合された凹部と、
前記表示画面側と、前記表示画面側とは反対側とで異なる意匠を有し、前記挿入部が取外し可能に固定された意匠部と、
を備える電子機器。
【請求項８】
請求項７の記載において、
前記意匠部は、前記ディスプレイ部を支持し、
前記意匠部内に収容された金属製の補強部材を有し、前記挿入部は、前記補強部材と一体に設けられたことを特徴とする電子機器。
【発明の詳細な説明】
【技術分野】
【０００１】
本発明は、表示装置を有するテレビおよび電子機器に関する。
【背景技術】
【０００２】
例えば液晶テレビのような薄型のテレビは、映像を表示する表示装置と、スタンドとを備えている。表示装置は、スタンドから外されて壁に掛けられることができる。一方、例えばテレビをテレビ台の上に設置する場合、表示装置はスタンドと共に用いられる。スタンドは、該表示装置を、例えばテレビ台の据付面の上に支持する。
【先行技術文献】
【特許文献】
【０００３】
【特許文献１】特開２００３−２９８９７９号公報
【発明の概要】
【発明が解決しようとする課題】
【０００４】
これらの表示装置を有するテレビおよび電子機器では、低コストで意匠バリエーションの幅をふやすための構成が求められている。
【課題を解決するための手段】
【０００５】
本実施例の一つの形態に係るテレビは、表示画面を有する表示装置と、前記表示装置が収容され、表示画面が露出された開口部が設けられた第１面と、この第１面とは反対側に位置された第２面と、底壁とを含む筐体と、前記筐体の前記底壁に設けられ、第１孔部と第２孔部とが設けられた金属製の連結部材と、前記連結部材の前記第１孔部と前記第２孔部とに収容され、該第１孔部の周縁部分と該第１孔部の周縁部分とに其々少なくとも一部が当接した凹部が前記第２面側に設けられた突出部と、前記突出部が取外し可能に固定され、前記筐体の底壁を支持した支持部と、前記表示画面側と、前記表示画面側とは反対側とで異なる意匠を有し、前記支持部と連結された基部と、を備える。
【０００６】
本実施例の一つの形態に係る電子機器は、開口部が設けられ、傾斜部を有する底壁を備えるディスプレイ部と、前記底壁の前記開口部に挿入されて前記支持部と前記ディスプレイ部とを連結した挿入部と、前記挿入部に設けられ、前記底壁の一部と係合された凹部と、前記表示画面側と、前記表示画面側とは反対側とで異なる意匠を有し、前記挿入部が取外し可能に固定された意匠部と、を備える。
【図面の簡単な説明】
【０００７】
【図１】実施形態にかかる電子機器としての表示装置を前面側から見た斜視図である。
【図２】実施形態にかかる電子機器としての表示装置を前面側から見た斜視図である。
【図３】実施形態にかかる表示装置の側面図（分離状態）である。
【図４】実施形態にかかる表示装置の側面図（接続状態）である。
【図５】本実施例の表示装置における表示部を分離した状態を示した図である。
【図６】本実施例の接続部を前方から見た状態の外観を示した図である。
【図７】本実施例の接続部を側方から見た状態の外観を示した図である。
【図８】本実施例の接続部を上方から見た状態の外観を示した図である。
【図９】本実施例の接続部を下方から見た状態の外観を示した図である。
【図１０】本実施例の接続部の構成を示した図である。
【図１１】本実施例の表示部と接続部とを分離した状態で下方から見た斜視図である。
【図１２】本実施例の表示部を下方から見た図である。
【図１３】本実施例の表示部に設けられた接続部と連結される領域を下方から見た図である。
【図１４】本実施例の連結部の構成を示した図である。
【図１５】本実施例の台座部の第１の変形例を示した図である。
【図１６】本実施例の台座部の第２の変形例を示した図である。
【図１７】本実施例の台座部の第３の変形例を示した図である。
【発明を実施するための形態】
【０００８】
以下、図面を参照して、本発明の一実施形態について詳細に説明する。なお、以下では、説明の便宜上、方向が規定されている。図１は、表示装置（テレビ、放送波受信装置、電子機器）１における表示部（ディスプレイ、表示パネル）２の表示画面からみた状態を示した図である。図２は、表示装置１における表示部２の表示画面とは反対側からみた状態を示した図である。図３及び図４は、表示装置１における表示部２の表示画面を横からみた状態を示した図である。尚、図３では、表示部２と台座部３とが分離された状態を示す。図４では、表示部２と台座部３とが接続された状態を示す。ここでは、一例として、当該表示部２の前面視（正面視）で右方向（後面視（背面視）では左方向）をＸ方向、上方向をＹ方向、奥行き方向（前方向）をＺ方向とする。各図には、表示装置１に組み付けられた状態での方向を示す矢印が記載される。
【０００９】
図１に示すように、本実施形態にかかる表示装置１は、机上等に載置される台座部（基部、板部、支持部、支持部材）３と、ＬＣＤ（Liquid Crystal Display）等のディスプレイユニット４を内蔵した表示部２と、表示部２に接続されて台座部３に支持された接続部５（連結部、支持部、首部、支持部材）と、を備えている。
【００１０】
図１に示すように、台座部３は、平面視では矩形状（略長方形状）で上下方向に比較的薄い扁平な形状を有している。台座部３は、上面３ａと、下面３ｂと、接続部５に連続した部分３ｃと、表示画面側を向いて第１の意匠を有する第１面部３ｄと、表示画面側とは反対側を向いて第１の意匠とは異なる第２の意匠を有する第２面部３ｅと、を有する。尚、ここでいう第１及び第２の意匠とは、物体の形状、模様、色彩等の部材の美的外観のことを示す。
【００１１】
図１，２に示すように、表示部２は、前面（表示面、第１面、正面）２ａと、その反対側に位置する後面（非表示面、第２面、背面）２ｂと、前面２ａと後面２ｂとに亘る周面（側面）２ｃとを有し、前後方向に薄く前面視では横長の長方形状の外観を呈する扁平な直方体状に構成されている。周面２ｃは、上面（側面、上壁）２ｄと、下面（側面、下壁、底壁）２ｅと、右面（側面、側壁）２ｆと、左面２（側面、側壁）ｇと、を含む大きく４分割された面部を有する。
【００１２】
筐体２１は、フロントマスク２１ａとバックカバー２１ｃと含む。ディスプレイユニット４の前面４ａ周囲の一部を覆う筐体２１の一部としてのフロントマスク２１ａには、矩形状の開口部２１ｂが設けられている。この開口部２１ｂからは、ディスプレイユニット４の前面４ａが露出している。本実施形態では、ディスプレイユニット４の前面４ａのうち、開口部２ｅから露出した部分が、表示画面４ｂである。図１，２から明らかとなるように、表示画面４ｂは起立している。
【００１３】
図３に示すように、これらの面は、後面２ｂから前面２ａに向かって拡開する方向に延びる。即ち、後面２ｂは、前面２ａよりも小さい面積を有するとともに、表示画面の前後の方向から平面視した状態で、前面２ａの外縁内に収まった位置に設けられる。上面２ｄと、下面２ｅと、右面２ｆと、左面２ｇとはいずれも前面２ａ（後面２ｂ）に対して傾斜したスロープの形状である。
【００１４】
図３に示すように、上面２ｄは、下面２ｅと比較して傾斜角度が緩やかである。即ち前面２ａと後面２ｂとに亘る距離が上面２ｄの方が下面２ｅと比較して長い。電子機器を見た場合、その外観では下面２ｅよりも上面２ｄの方が目立つ。上面２ｄの傾斜を緩やかにした形状を有することで、電子機器の外観をより薄く見せられる効果がある。また、子の形状を構成するため、本実施例における電子機器では、表示部２の背面に収容された基板などの電子部品を下端側に位置させている。
【００１５】
図３に示すように、下面２ｅは、第２の下面（第２面、第２底壁、段差面）２ｅ１を有する。下面２ｅ１は、下面２ｅよりも上面２ｄ側に設けられる。このような形状を有することで、上面２ｄの傾斜と同様の効果、即ち電子機器の外観をより薄く見せられる効果がある。
【００１６】
表示部２の筐体２１内には、ディスプレイユニット４の他、ＣＰＵ（Central Processing Unit）等の電子部品が実装された基板や、その他の電子部品等（いずれも図示せず）が内蔵されている。ディスプレイユニット４は、基板に実装された電子部品等で構成された制御回路に含まれる映像信号処理回路（いずれも図示せず）から映像信号を受け取り、表示画面４ｂに、静止画や動画等の映像を表示させる。表示装置１がテレビジョン装置として構成される場合、表示装置１の制御回路は、例えば、映像信号処理回路の他、いずれも図示しないチューナ部や、ＨＤＭＩ（High-Definition Multimedia Interface）信号処理部、ＡＶ（Audio Video）入力端子、リモコン信号受信部、制御部、セレクタ、オンスクリーンディスプレイインタフェース、記憶部（例えば、ＲＯＭ（Read Only Memory）、ＲＡＭ（Random Access Memory）、ＨＤＤ（Hard Disk Drive）等）、音声信号処理回路等を有する。基板は、筐体２１内のディスプレイユニット４の後方（背面側）に収容される。また、表示装置１がコンピュータとして構成される場合、表示装置１の制御回路は、例えば、制御部（例えば、ＣＰＵ等）や、記憶部（例えば、ＲＯＭ（Read Only Memory）、ＲＡＭ（Random Access Memory）、ＨＤＤ（Hard Disk Drive）等）、ディスプレイドライバ、通信インタフェース等を有する。また、表示装置１は、音声出力用のアンプやスピーカ等（図示せず）も備えている。
【００１７】
図３及び図４に示すように、接続部５の表示部２側に向かって突出した突部６が設けられている。突部６は、筐体２１に挿入されて表示部２と接続部５とを連結する。図４に示すように、表示部２の下面２ｅには、突部６と連結する連結部（連通部、補強部、金属部、金属プレート）７が設けられる。連結部７は、筐体２１よりも剛性の高い、例えば金属等の部材で設けられ、表示部２の重量を支えても筐体２１と比較して変形・破損が生じにくい。
【００１８】
図４に示すように、連結部７は、台座部３と平行（略平行）に延びたプレート形状を有した領域（プレート部、支持面、係合面、被係合面）７ａを有する。領域７ａは、接続部５の上面とも平行（略平行）に延びるとともに、この面と当接されている。領域７ａには、突部６が通される開口部（貫通孔部、孔部、穴部、係合部、被係合部、連通部）７ｂが設けられる。突部６は、開口部７ｂの周縁の少なくとも一部と当接される。
【００１９】
連結部７は、表示面側に設けられるとともに下側に向かって曲げられた第１曲げ部（前曲げ部、下曲げ部、屈折部）７ｃと、表示面とは反対側に設けられるとともに上側に向かって曲げられた第２曲げ部（後曲げ部、上曲げ部、屈折部）７ｄと、を有する。この前後の曲げた部分を有することで、例えば筐体２１が振動などの外部ストレスなどで撓んだ際に、表示部２の前方向への転倒を抑制できる。また、この構成を有することで、筐体２１の下面２ｅの傾斜形状に適応して該下面２ｅと接する際には前後に均等に圧をかけることができ、ストレスが筐体２１の下面２ｅの後ろ部分に集中して筐体２１の一部が破損・変形することを抑制することができる。
【００２０】
次に、図５乃至図９を参照しながら、本実施例の接続部近傍の構成について説明する。図５は、本実施例の表示装置１における表示部２を分離した状態を示した図、即ち台座部３と接続部５とを示した図である。図６乃至図８は、本実施例の接続部５の外観を示した図である。図６は、接続部５を前方から見た状態の図を示し、図７は、接続部５を側方から見た状態の図を示し、図８は、接続部５を上方から見た状態の図を示す。図９は、接続部５（台座部３）を下方から見た状態の図を示す。図１０は、本実施例の接続部５の構成を示した図である。
【００２１】
図５乃至図１０に示すように、接続部５は、該接続部５の上端に位置された段差部５ａと、この段差部５ａの表示部２側の面である平面部５ｂとを有する。突部６は、平面部５ｂから突出されて設けられる。突部６は、側面から見ると接続部５（平面部５ｂ）の中央部分に位置される。
【００２２】
図７乃至図１０に示すように、突部６は、第１の突部（第１部分、フック部、位置決め部、凸部、突起部、突出部、金具部）６ａと、第２の突部（第２部分、フック部、位置決め部、凸部、突起部、突出部、金具部）６ｂと、を有する。第１及び第２の突部６ａ，６ｂは、其々同一の形状を有する。ここでは、説明を簡略化するため、第１の突部６ａを例に挙げて突部６の構成を説明する。
【００２３】
図５及び図６に示すように、突部６は、表示部２の表示画面側の面であって、表示部２の表示画面とは反対側、即ち筐体２１の背面２ｂ側に向かって傾斜した第１傾斜部６ｃ１と、表示部２の表示画面側に開口された第１凹部６ｄ１と、表示部２側に向かって延びた第１延出部（頭部、突出部）６ｅ１とを有する。また突部６は、表示部２の表示画面とは反対側の面であって、表示部２の表示画面とは反対側、即ち筐体２１の背面２ｂ側に向かって傾斜した第２傾斜部６ｃ２と、表示部２の表示画面とは反対側に開口された第２凹部６ｄ２と、表示部２側に向かって延びた第２延出部（頭部、突出部）６ｅ２とを有する。第１及び第２の凹部６ｄ１，６ｄ２は、第１及び第２の傾斜部６ｃ１，６ｃ２と、第１及び第２の延出部６ｅ１，６ｅ２との間に其々位置される。
【００２４】
ここで、図４に示すように、第１及び第２の凹部６ｄ１，６ｄ２は、連結部７に設けられた開口部７ｂの周縁の少なくとも一部と係合される。表示部２は、ディスプレイパネルが位置された前方側に重心が偏っている。即ち表示装置１は、後方よりも前方に転倒し易い構成となっている。ここで、本実施例の構成によると、開口部７ｂの周縁の前方では、第１の凹部６ｄ１を構成する、第１の延出部６ｅ１と当接して支持され、開口部７ｂの周縁の後方では、第２の凹部６ｄ２を構成する、第２の傾斜部６ｃ２と当接して支持される。このような構成により、前方側に重心が偏っている表示装置１を効率よく支えることができる。
【００２５】
また、本実施例の構成では、前後にそれぞれ第１及び第２の傾斜部６ｃ１，６ｃ２を設けたことで、突部６と開口部７ｂの周縁とに与える負荷をより分散させることができる。例えば、第１及び第２の傾斜部６ｃ１，６ｃ２を設けず、表示部２側にむかって延びた部分と、この部分と直交する部分でフック形状を構成した場合、突部６と開口部７ｂの周縁との接触領域が少なくなり、特にフックの先端（表示部２側にむかって延びた部分と直交する部分の先端）にストレスが一点集中してしまう。この結果、突部６又は開口部７ｂの周縁部分が変形・破損してしまう可能性が出てくる。従って第１及び第２の傾斜部６ｃ１，６ｃ２を設けた本実施例の構成は、突部６又は開口部７ｂの周縁部分が変形・破損してしまう可能性を低減させることができる。
【００２６】
また、本実施例の構成では、前後にそれぞれ第１及び第２の延出部６ｅ１，６ｅ２を設けたことで、表示装置１が後方に転倒しそうになった場合でも、表示部２と接続部５との分離を防止できる。例えば、地震の影響などで表示装置１に対して前後方向の強い揺れを受けた場合、表示装置１が後方に向けて傾く場合が想定されるが、本実施例の構成では、第１及び第２の延出部６ｅ１，６ｅが其々開口部７ｂの周縁と前後で支えるため、突部６が開口部７ｂから抜け出て、表示部２と接続部５とが互いに分離されてしまうことを防止できる。
【００２７】
図１０に示すように、本実施例の台座部３と接続部５とは互いに一体に連結された樹脂製の材料から成る。台座部３の下面３ｂには、接続部５の内部と連通した開口部が設けられ、当該開口部内に金属製の支持部５１の一部が挿入される。支持部５１は、先端に突部６を有し、接続部５の内に収容される第１の支持部５１ａと、この第１の支持部５１ａと連続して台座部３の下面３ｂに当接する第２の支持部５１ｂとを有する。２つの突部６ａ，６ｂは、其々接続部５の平坦部５ｂに設けられた２つの貫通孔（開口部、孔部、穴部）５ｃ１，５ｃ２に其々挿入されて接続部５の内から外に露出される。平坦部５ｂには、ネジ等の固定部材を通すための固定孔部（孔部、開口部、孔部）５ｄが設けられる。この固定孔部５ｄは、支持部５１に設けられた固定孔部（孔部、開口部、孔部）５１ｄと連通された位置関係にある。
【００２８】
図１０に示すように、貫通孔５ｃ１，５ｃ２は、２つの突部６ａ，６ｂの前後方向に延びた幅よりも余裕を持って（１．５倍ほどの長さを有して）設けられている。即ち、貫通孔５ｃ１，５ｃ２は、２つの突部６ａ，６ｂが挿入された状態で、前後方向に２つの突部６ａ，６ｂがある程度移動可能な遊びを有する。このような構成を有することで２つの突部６ａ，６ｂが前後方向に撓んだ際にこれらと当接することを回避し、ストレスの伝搬される経路を絶つことができる。
【００２９】
図１０に示すように、接続部５の前方は、上から見た場合に中央に向けて尖った突出形状を有している。このような形状を有することで、接続部５の意匠性を向上させることができるとともに、表示装置１の前方への転倒抑制に貢献する。
【００３０】
図１０に示すように、本実施例の第１の支持部５１ａは、複数の板金で構成される。板金同士は互いに一部重なり合う領域（重なり部、重畳部）５１ａ１を有する。これらの領域５１ａ１は、特に前後方向で重なり合うようにもうけられるため、一つの板金を加工する構成と比較して、剛性（特に前後方向にかかる負荷に対する剛性）が向上される。
【００３１】
図１０に示すように、本実施例の第２の支持部５１ｂは、左右に延びる方向に交差した方向に曲げられた、即ち前後方向に沿って延びた曲げ部５１ｂ１を有する。本実施例の構成では、曲げ部５１ｂ１を有することで、第２の支持部５１ｂの剛性、引いては台座部３の剛性を向上させることができる。また、第２の支持部５１ｂは、筐体２１の前後方向に沿って延びる形状を有することで、台座部３の前後方向の撓みを抑制する。例えば、地震の影響などで表示装置１に対して前後方向の強い揺れを受けた場合、台座部３と接続部５とを接続する連結部３ｃ近傍で変形・破損することが抑制できる。
【００３２】
図１０に示すように、本実施例の２つの突部６ａ，６ｂは、第１の支持部５１ａの側面部５１ｃの一部を切り起こして設けられている。第１の支持部５１ａの側面部５１ｃの上端には、２つの突部６ａ，６ｂが切起こされた周囲に切欠き部（開口部、孔部、穴部、スリット部）５１ｃ１が設けられ、第１の支持部５１ａの側面部５１ｃの下端には、第２の支持部５１ｂに固定された部分（固定部、支持部、支部、基部、ベース部）５１ｃ２が設けられる。この部分５１ｃ２は、平坦部５ｃの幅よりも長く設けられ、側面部５１ｃを速報から見た場合に裾野が広がるような山形状を有している。本実施例の第１の支持部５１ａでは、このように構成されることにより、表示装置１の前後方向への撓み抑制に貢献している。特に表示部２からの負荷が掛かりやすい２つの突部６ａ，６ｂ近傍の領域では、切欠き部５１ｃ１が設けられることで、表示部２の撓みを吸収できるとともに、下のベース部５１ｃ２で強固に支えることが出来る。
【００３３】
図１０に示すように、本実施例のベース部５１ｃ２は、曲げ部５１ｂ１によって机の天板等の載置面から離間された領域に設けられる。このような構成により、例えばベース部５１ｃ２を通して伝わる表示部２の重量の影響によって、第２の支持部５１ｂが変形される場合であっても、当該変形部分が机の天板等の載置面に当たる可能性が低くなる。
【００３４】
図９に示すように、本実施例の構成では、台座部３の下面３ｂに格子状のリブ３ｂ１が設けられる。リブ３ｂ１は、筐体２１の上下方向に延びた立壁であり、左右方向に沿って延びたリブ３ｂ２と、前後方向に沿って延びたリブ３ｂ３とを有する。更に左右・前後に延びた部分が其々互いに重なる部分は円筒リブ３ｂ４が設けられる。このような形状を有することで、本実施例の台座部３は、樹脂材料の肉厚を薄くして軽量化した状態であっても撓みに対する剛性が著しく低下することを抑制できる。このリブ形状は、格子状に限らず例えばハニカム形状等、撓み抑制に効果がある形状であれば本実施例の構成に限らない。
【００３５】
図９に示すように、本実施例の構成では、左右方向に沿って延びたリブ３ｂ２の一部３ｂ２２が台座部３を裏から指示する金属製部材である第２の支持部５１ｂの切欠き部分に収容されている。このリブ３ｂ２の一部３ｂ２２は、接続部５よりも前方に設けられ、表示装置１の前方への転倒抑制に貢献している。
【００３６】
次に、図１１乃至図１３を参照しながら、本実施例の表示部２側における接続部近傍の構成を説明する。図１１は、表示部２と接続部５とを分離した状態で下方から見た斜視図である。図１２は、本実施例の表示部２を下方から見た図である。図１３は、本実施例の表示部２に設けられた接続部５と連結される領域を下方から見た図である。図１３は、本実施例の接続部５と連結された連結部を示した斜視図である。
【００３７】
図１１乃至図１４に示すように、本実施例の構成では、表示部２の下面２ｅの中央に接続部５と連結される連結部（中央部、接続部、係合部、固定部）７が設けられている。この連結部２ｅ１には、第１及び第２の突部６ａ，６ｂが其々挿入される挿入開口（開口部、連結部、孔部、穴部）７ａ，７ｂが設けられる。挿入開口７ａ，７ｂは其々互いに形状が異なる。本実施例の構成では、表示部２と接続部５及び台座部３とを其々別々に組み立て最後に表示部２の下面２ｅから接続部５を連結して表示装置１を組み立てる。この場合、表示部２の下面２ｅからみた挿入開口７ａ，７ｂの形状を互いに違う形に設けることによって、組み立て作業者に対し、台座部３の前後方向の視認を可能にさせることができ、組み立て作業の効率を向上させることができる。
【００３８】
図１３に示すように、連結部７には、挿入開口７ａ，７ｂの間に表示部２側に突出させた突出部（凹部、突部、変形部、剛性部、曲げ部）７ｅが設けられる。突出部７ｅは、連結部７の一部を曲げ加工されて設けられる。この突出部７ｅは、前後方向に沿って延びた長円形状を有する。このような構成を有することで、本実施例の表示装置１は、前後への撓みに対する耐性が向上されている。また、挿入開口７ａ，７ｂと突出部７ｅとの間には、固定孔部（孔部、開口部、孔部）７ｄが設けられる。この固定孔部７ｄは、支持部５１に設けられた固定孔部５１ｄと連通された位置関係にある。
【００３９】
図１４に示すように、連結部７は、筐体２１の中の内壁と固定・係合できる用に加工された形状を有している。連結部７は、一枚の板金を複数個所で切欠いたり、折り曲げたりして構成された複数の片部（フィン、支持部、板部、壁部）７ｆ，７ｇ，７ｈ，７ｉを有している。これらの片部（フィン、支持部、板部、壁部）７ｆ，７ｇ，７ｈ，７ｉは、図４の説明で上述した、表示面側に設けられるとともに下側に向かって曲げられた第１曲げ部（前曲げ部、下曲げ部、屈折部）７ｃと、表示面とは反対側に設けられるとともに上側に向かって曲げられた第２曲げ部（後曲げ部、上曲げ部、屈折部）７ｄの構成と同様の効果を有する。即ち、これらの片部は、例えば筐体２１が振動などの外部ストレスなどで撓んだ際に、表示部２の前方向への転倒を抑制できる。また、この構成を有することで、筐体２１の下面２ｅの傾斜形状に適応して該下面２ｅと接する際には前後に均等に圧をかけることができ、ストレスが筐体２１の下面２ｅの後ろ部分に集中して筐体の破損・変形を抑制できる。また、これらの片部７ｆ，７ｇ，７ｈ，７ｉのうち、幾つかの片部７ｆ，７ｇ，７ｈ，７ｉでは、互いに重なる重畳部７ｇｈを有する。重畳部７ｇｈは、例えば共通のネジ穴などで共締めされ、互いを支持し合う構成を有する。
【００４０】
図１２及び図１４に示すように、本実施例の構成では、挿入開口７ａ，７ｂのうち、何れか一方の形状を長孔形状としている。このような構成により、他方の挿入開口を中心に回転する遊びを僅かに持たせることができる。これにより、より組立作業の精度に余裕をもたせることができ、表示装置１の組み立て作業効率が向上される。
【００４１】
本実施例の構成では、突部６が位置決め機能及び係合・接続機能を兼用されているため、位置決め部材、および係合・接続部材を別々に設ける必要がなく、部品点数の削減を実現できる。
【００４２】
本実施例では上述した通り、台座部３は、表示画面側を向いて第１の意匠を有する第１面部３ｄと、表示画面側とは反対側を向いて第１の意匠とは異なる第２の意匠を有する第２面部３ｅと、を有する。本実施例における構造によると、接続部５から突出した突部６を表示部２に挿入して固定する。図１乃至図１４の実施形態では、前方への転倒防止を主眼にした構造であったが、この構造を前後方向の両側に採用することで、表示部２に対して台座部３を前後逆にして取り付けることも可能である。
【００４３】
図１５乃至図１７に台座部３の意匠バリエーションの一部を示す。図１５乃至図１７に示すように、本実施例の構造では、台座部３の前後の形状や模様、色彩を変化させることで表示装置１の意匠バリエーションの幅を広げることでき、低コストでユーザの好みに合わせた外観を多く提供することが可能となる。
【００４４】
以上、本発明の好適な実施形態について説明したが、本発明は上記実施形態には限定されず、種々の変形が可能である。例えば、上記実施形態では、突部６が接続部５に設けられた例を示したが、表示部２側に構成とすることもできる。また、接続部５と台座部３を別部材で回転可能に構成することもできる。また、突部６は１つでも良いし、また、３つ以上設けても良く、表示部２と接続部５とを互いに取り付けられる構成であればよい。
【００４５】
また、本発明は、表示画面を有した電子機器として実施することができ、例えば、テレビジョン装置以外の表示装置や、電子機器用の表示装置、パーソナルコンピュータとして構成された表示装置として実施することができる。
【００４６】
また、電子機器や、表示装置、台座部、基部、開口部、貫通孔、表示部、突出部、突部、凹部、接続部、支持部、被支持部、プレート、溝、リブ等のスペック（構造や、形状、材質、大きさ、長さ、幅、厚さ、高さ、数、配置、位置等）は、適宜変更して実施することができる。
【００４７】
本発明の実施形態によれば、組み立て作業効率が向上させることが可能な表示装置（テレビ）および電子機器を得ることができる。
また、本発明の実施形態によれば、表示装置１の意匠バリエーションの幅を広げることが可能な表示装置（テレビ）および電子機器を得ることができる。
【符号の説明】
【００４８】
１…表示装置（電子機器）
２…表示部
３…台座部（基部）
３ｂ…下面部
３ｂ１…リブ
４ｂ…表示画面
５…接続部
６…突出部（突部）
７…連結部
７ａ，７ｂ…挿入開口
５１ａ…第１の支持部
５１ｂ…第２の支持部
【図１】
2012114597.tif 000003
【図２】
2012114597.tif 000004
【図３】
2012114597.tif 000005
【図４】
2012114597.tif 000006
【図５】
2012114597.tif 000007
【図６】
2012114597.tif 000008
【図７】
2012114597.tif 000009
【図８】
2012114597.tif 000010
【図９】
2012114597.tif 000011
【図１０】
2012114597.tif 000012
【図１１】
2012114597.tif 000013
【図１２】
2012114597.tif 000014
【図１３】
2012114597.tif 000015
【図１４】
2012114597.tif 000016
【図１５】
2012114597.tif 000017
【図１６】
2012114597.tif 000018
【図１７】
2012114597.tif 000019